(57)【要約】【課題】直交性の高いシーケンスを用いて上りリンク復調参照信号を送信することによって、送信される情報の品質を劣化させずに復調することができる移動通信システム、基地局装置、移動局装置および通信方法を提供する。【解決手段】基地局装置と移動局装置が通信する移動通信システムであって、前記基地局装置は、物理上りリンク共用チャネルに対するリソース割り当て情報を前記移動局装置へ送信し、前記移動局装置は、上りリンク復調参照信号が配置されるサブキャリアの間隔が２以上の場合には、前記２以上のサブキャリアの間隔および前記リソース割り当て情報に基づいて、前記上りリンク復調参照信号を前記２以上のサブキャリアの間隔で配置するか、前記上りリンク復調参照信号を連続するサブキャリアに配置するかを決定する。【選択図】図８
2013021416.tif 000002
【特許請求の範囲】
【請求項１】
基地局装置と移動局装置が通信する移動通信システムであって、
前記基地局装置は、
物理上りリンク共用チャネルに対するリソース割り当て情報を前記移動局装置へ送信し、
前記移動局装置は、
上りリンク復調参照信号が配置されるサブキャリアの間隔が２以上の場合には、
前記２以上のサブキャリアの間隔および前記リソース割り当て情報に基づいて、
前記上りリンク復調参照信号を前記２以上のサブキャリアの間隔で配置するか、前記上りリンク復調参照信号を連続するサブキャリアに配置するかを決定する
ことを特徴とする移動通信システム。
【請求項２】
前記移動局装置は、
前記サブキャリアの間隔が２以上であり、且つ、前記リソース割り当て情報が所定の第１のリソースブロックサイズを示している場合には、前記上りリンク復調参照信号を前記連続するサブキャリアに配置する
ことを特徴とする請求項１に記載の移動通信システム。
【請求項３】
前記移動局装置は、
前記サブキャリアの間隔が２以上であり、且つ、前記リソース割り当て情報が所定の第２のリソースブロックサイズよりも小さいリソースブロックサイズを示している場合には、前記上りリンク復調参照信号を前記連続するサブキャリアに配置する
ことを特徴とする請求項１または請求項２に記載の移動通信システム。
【請求項４】
基地局装置と移動局装置が通信する移動通信システムであって、
前記基地局装置は、
物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記移動局装置へ送信し、
前記移動局装置は、
前記上りリンク復調参照信号が配置されるサブキャリアの間隔が２以上の場合には、
前記２以上のサブキャリアの間隔および前記リソース割り当て情報および前記指示情報に基づいて、
前記上りリンク復調参照信号を前記２以上のサブキャリアの間隔で配置するか、前記上りリンク復調参照信号を連続するサブキャリアに配置するかを決定する
ことを特徴とする移動通信システム。
【請求項５】
前記移動局装置は、
前記サブキャリアの間隔が２以上であり、且つ、前記リソース割り当て情報が所定の第１のリソースブロックサイズ以外の第３のリソースブロックサイズを示し、且つ、前記指示情報が前記上りリンク復調参照信号を前記２以上のサブキャリアの間隔で配置することを示している場合には、前記上りリンク復調参照信号を前記２以上のサブキャリアの間隔で配置し、
前記リソース割り当て情報が所定の第１のリソースブロックサイズを示す、または、前記指示情報が前記上りリンク復調参照信号を前記２以上のサブキャリアの間隔で配置しないことを示している場合には、前記上りリンク復調参照信号を前記連続するサブキャリアに配置する
ことを特徴とする請求項４に記載の移動通信システム。
【請求項６】
前記移動局装置は、
前記サブキャリアの間隔が２以上であり、且つ、前記リソース割り当て情報が所定の第２のリソースブロックサイズ以上のリソースブロックサイズを示し、且つ、前記指示情報が前記上りリンク復調参照信号を前記２以上のサブキャリアの間隔で配置することを示している場合には、前記上りリンク復調参照信号を前記２以上のサブキャリアの間隔で配置し、
前記リソース割り当て情報が所定の第２のリソースブロックサイズよりも小さいリソースブロックサイズを示す、または、前記指示情報が前記上りリンク復調参照信号を前記２以上のサブキャリアの間隔で配置しないことを示している場合には、前記上りリンク復調参照信号を前記連続するサブキャリアに配置する
ことを特徴とする請求項４または請求項５に記載の移動通信システム。
【請求項７】
前記上りリンク復調参照信号が配置されるサブキャリアの間隔を示す情報は、前記基地局装置によって前記移動局装置へ通知される
ことを特徴とする請求項１から請求項６のいずれかに記載の移動通信システム。
【請求項８】
第１のリソースブロックサイズおよび第２のリソースブロックサイズおよび第３のリソースブロックサイズは、サブキャリアによって表現される
ことを特徴とする請求項１から請求項７のいずれかに記載の移動通信システム。
【請求項９】
移動局装置と通信する基地局装置であって、
物理上りリンク共用チャネルに対するリソース割り当て情報を前記移動局装置へ送信するユニットと、
上りリンク復調参照信号が配置されるサブキャリアの間隔が２以上の場合には、
前記２以上のサブキャリアの間隔および前記リソース割り当て情報に基づいて、
前記２以上のサブキャリアの間隔で配置された前記上りリンク復調参照信号を前記移動局装置から受信するか、連続するサブキャリアに配置された前記上りリンク復調参照信号前記移動局装置から受信するかを決定するユニットと、
を備えることを特徴とする基地局装置。
【請求項１０】
前記サブキャリアの間隔が２以上であり、且つ、前記リソース割り当て情報が所定の第１のリソースブロックサイズを示している場合には、前記連続するサブキャリアに配置された前記上りリンク復調参照信号を前記移動局装置から受信するユニットを、
備えることを特徴とする請求項９に記載の基地局装置。
【請求項１１】
前記サブキャリアの間隔が２以上であり、且つ、前記リソース割り当て情報が所定の第２のリソースブロックサイズよりも小さいリソースブロックサイズを示している場合には、前記連続するサブキャリアに配置された前記上りリンク復調参照信号を前記移動局装置から受信するユニットを、
備えることを特徴とする請求項９または請求項１０に記載の基地局装置。
【請求項１２】
移動局装置と通信する基地局装置であって、
物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記移動局装置へ送信するユニットと、
前記上りリンク復調参照信号が配置されるサブキャリアの間隔が２以上の場合には、
前記２以上のサブキャリアの間隔および前記リソース割り当て情報および前記指示情報に基づいて、
前記２以上のサブキャリアの間隔で配置された前記上りリンク復調参照信号を前記移動局装置から受信するか、連続するサブキャリアに配置された前記上りリンク復調参照信号を前記移動局装置から受信するかを決定するユニットと、
を備えることを特徴とする基地局装置。
【請求項１３】
前記サブキャリアの間隔が２以上であり、且つ、前記リソース割り当て情報が所定の第１のリソースブロックサイズ以外の第３のリソースブロックサイズを示し、且つ、前記指示情報が前記上りリンク復調参照信号を前記２以上のサブキャリアの間隔で配置することを示している場合には、前記２以上のサブキャリアの間隔で配置された前記上りリンク復調参照信号を前記移動局装置から受信するユニットと、
前記リソース割り当て情報が所定の第１のリソースブロックサイズを示す、または、前記指示情報が前記上りリンク復調参照信号を前記２以上のサブキャリアの間隔で配置しないことを示している場合には、前記連続するサブキャリアに配置された前記上りリンク復調参照信号を前記移動局装置から受信するユニットと、
を備えることを特徴とする請求項１２に記載の基地局装置。
【請求項１４】
前記サブキャリアの間隔が２以上であり、且つ、前記リソース割り当て情報が所定の第２のリソースブロックサイズ以上のリソースブロックサイズを示し、且つ、前記指示情報が前記上りリンク復調参照信号を前記２以上のサブキャリアの間隔で配置することを示している場合には、前記２以上のサブキャリアの間隔で配置された前記上りリンク復調参照信号を前記移動局装置から受信するユニットと、
前記リソース割り当て情報が所定の第２のリソースブロックサイズよりも小さいリソースブロックサイズを示す、または、前記指示情報が前記上りリンク復調参照信号を前記２以上のサブキャリアの間隔で配置しないことを示している場合には、前記連続するサブキャリアに配置された前記上りリンク復調参照信号を前記移動局装置から受信するユニットと、
を備えることを特徴とする請求項１２または請求項１３に記載の基地局装置。
【請求項１５】
前記上りリンク復調参照信号が配置されるサブキャリアの間隔を示す情報を前記移動局装置へ通知する
ことを特徴とする請求項９から請求項１４のいずれかに記載の基地局装置。
【請求項１６】
基地局装置と通信する移動局装置であって、
物理上りリンク共用チャネルに対するリソース割り当て情報を前記基地局装置から受信するユニットと、
上りリンク復調参照信号が配置されるサブキャリアの間隔が２以上の場合には、
前記２以上のサブキャリアの間隔および前記リソース割り当て情報に基づいて、
前記上りリンク復調参照信号を前記２以上のサブキャリアの間隔で配置するか、前記上りリンク復調参照信号を連続するサブキャリアに配置するかを決定するユニットと、
を備えることを特徴とする移動局装置。
【請求項１７】
前記サブキャリアの間隔が２以上であり、且つ、前記リソース割り当て情報が所定の第１のリソースブロックサイズを示している場合には、前記上りリンク復調参照信号を前記連続するサブキャリアに配置するユニットを、
備えることを特徴とする請求項１６に記載の移動局装置。
【請求項１８】
前記サブキャリアの間隔が２以上であり、且つ、前記リソース割り当て情報が所定の第２のリソースブロックサイズよりも小さいリソースブロックサイズを示している場合には、前記上りリンク復調参照信号を前記連続するサブキャリアに配置するユニットを、
備えることを特徴とする請求項１６または請求項１７に記載の移動局装置。
【請求項１９】
基地局装置と通信する移動局装置であって、
物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記基地局装置から受信するユニットと、
前記上りリンク復調参照信号が配置されるサブキャリアの間隔が２以上の場合には、
前記２以上のサブキャリアの間隔および前記リソース割り当て情報および前記指示情報に基づいて、
前記上りリンク復調参照信号を前記２以上のサブキャリアの間隔で配置するか、前記上りリンク復調参照信号を連続するサブキャリアに配置するかを決定するユニットと、
を備えることを特徴とする移動局装置。
【請求項２０】
前記サブキャリアの間隔が２以上であり、且つ、前記リソース割り当て情報が所定の第１のリソースブロックサイズ以外の第３のリソースブロックサイズを示し、且つ、前記指示情報が前記上りリンク復調参照信号を前記２以上のサブキャリアの間隔で配置することを示している場合には、前記上りリンク復調参照信号を前記２以上のサブキャリアの間隔で配置するユニットと、
前記リソース割り当て情報が所定の第１のリソースブロックサイズを示す、または、前記指示情報が前記上りリンク復調参照信号を前記２以上のサブキャリアの間隔で配置しないことを示している場合には、前記上りリンク復調参照信号を前記連続するサブキャリアに配置するユニットと、
を備えることを特徴とする請求項１９に記載の移動局装置。
【請求項２１】
前記サブキャリアの間隔が２以上であり、且つ、前記リソース割り当て情報が所定の第２のリソースブロックサイズ以上のリソースブロックサイズを示し、且つ、前記指示情報が前記上りリンク復調参照信号を前記２以上のサブキャリアの間隔で配置することを示している場合には、前記上りリンク復調参照信号を前記２以上のサブキャリアの間隔で配置するユニットと、
前記リソース割り当て情報が所定の第２のリソースブロックサイズよりも小さいリソースブロックサイズを示す、または、前記指示情報が前記上りリンク復調参照信号を前記２以上のサブキャリアの間隔で配置しないことを示している場合には、前記上りリンク復調参照信号を前記連続するサブキャリアに配置するユニットと、
を備えることを特徴とする請求項１９または請求項２０に記載の移動局装置。
【請求項２２】
前記上りリンク復調参照信号が配置されるサブキャリアの間隔を示す情報を前記基地局装置によって通知される
ことを特徴とする請求項１６から請求項２１のいずれかに記載の移動局装置。
【請求項２３】
移動局装置と通信する基地局装置の通信方法であって、
物理上りリンク共用チャネルに対するリソース割り当て情報を前記移動局装置へ送信し、
上りリンク復調参照信号が配置されるサブキャリアの間隔が２以上の場合には、
前記２以上のサブキャリアの間隔および前記リソース割り当て情報に基づいて、
前記２以上のサブキャリアの間隔で配置された前記上りリンク復調参照信号を前記移動局装置から受信するか、連続するサブキャリアに配置された前記上りリンク復調参照信号前記移動局装置から受信するかを決定する
ことを特徴とする通信方法。
【請求項２４】
移動局装置と通信する基地局装置の通信方法であって、
物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記移動局装置へ送信し、
前記上りリンク復調参照信号が配置されるサブキャリアの間隔が２以上の場合には、
前記２以上のサブキャリアの間隔および前記リソース割り当て情報および前記指示情報に基づいて、
前記２以上のサブキャリアの間隔で配置された前記上りリンク復調参照信号を前記移動局装置から受信するか、連続するサブキャリアに配置された前記上りリンク復調参照信号を前記移動局装置から受信するかを決定する
ことを特徴とする通信方法。
【請求項２５】
基地局装置と通信する移動局装置の通信方法であって、
物理上りリンク共用チャネルに対するリソース割り当て情報を前記基地局装置から受信し、
上りリンク復調参照信号が配置されるサブキャリアの間隔が２以上の場合には、
前記２以上のサブキャリアの間隔および前記リソース割り当て情報に基づいて、
前記上りリンク復調参照信号を前記２以上のサブキャリアの間隔で配置するか、前記上りリンク復調参照信号を連続するサブキャリアに配置するかを決定する
ことを特徴とする通信方法。
【請求項２６】
基地局装置と通信する移動局装置の通信方法であって、
物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記基地局装置から受信し、
前記上りリンク復調参照信号が配置されるサブキャリアの間隔が２以上の場合には、
前記２以上のサブキャリアの間隔および前記リソース割り当て情報および前記指示情報に基づいて、
前記上りリンク復調参照信号を前記２以上のサブキャリアの間隔で配置するか、前記上りリンク復調参照信号を連続するサブキャリアに配置するかを決定する
ことを特徴とする通信方法。
【発明の詳細な説明】
【技術分野】
【０００１】
本発明は、移動通信システム、基地局装置、移動局装置および通信方法に関する。
【背景技術】
【０００２】
セルラー移動通信の無線アクセス方式および無線ネットワークの進化（以下、ＬＴＥ：Long Term Evolution、または、ＥＵＴＲＡ：Evolved Universal Terrestrial Radio Accessとも呼称する）が、第三世代パートナーシッププロジェクト（３ＧＰＰ：3rd Generation Partnership Project）において検討されている。ＬＴＥでは、基地局装置から移動局装置への下りリンクの通信方式として、ＯＦＤＭ（Orthogonal Frequency Division Multiplexing）方式が用いられる。また、移動局装置から基地局装置への上りリンクの通信方式として、ＰＡＰＲ（Peak to Average Power Ratio）特性に優れたＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。
【０００３】
また、ＬＴＥリリース１１では、上りリンクにおいて、ＭＩＭＯ（Multiple Input Multiple Output）による空間多重が利用可能であり、特に複数の移動局装置が、同一周波数、時間リソースを使用して空間多重を行うＭＵ−ＭＩＭＯ（Multi-User MIMO）をサポートすることが検討されている。また、移動局装置に対する干渉を軽減、抑制するための方法として、基地局装置間で互いに協調して干渉コーディネーションを行う基地局間協調通信（ＣｏＭＰ：Coordinated Multipoint Transmission/Reception）をサポートすることが検討されている。
【０００４】
ここで、ＭＵ−ＭＩＭＯやＣｏＭＰを利用した通信を行う際に、送受信される情報の品質が劣化することを避けるために、送受における各アンテナポート（物理アンテナ毎、または２つ以上の物理アンテナの合成によって定義される）のチャネル（伝搬路とも呼称される）を高精度に推定できることが望ましい。この点に関して、例えば、非特許文献１では、上りリンク復調参照信号（ＵＬ ＤＭＲＳ：Uplink Demodulation Reference Signal、以下、ＤＭＲＳとも記載する）を周波数軸上で櫛形状に配置するＩＦＤＭ（Interleaved Frequency Domain Multiplexing、ＩＦＤＭＡとも呼称される）を利用することが提案されている。
【０００５】
すなわち、ＤＭＲＳを周波数リソース（周波数スペクトル）方向において櫛形に分散配置（櫛形スペクトラム配置）することによって、ＤＭＲＳ送信に使用される直交リソースを増加させ、チャネル推定制度を改善することが検討されている。
【先行技術文献】
【非特許文献】
【０００６】
【非特許文献１】"UL RS Enhancement for LTE-Advanced", 3GPP TSG RAN WG1 Meeting #57bis, R1-092801, June 29-July 3, 2009.
【発明の概要】
【発明が解決しようとする課題】
【０００７】
しかしながら、従来の技術では、ＩＦＤＭを利用してＤＭＲＳを送信する際に、直交性の高くないシーケンスを用いてＤＭＲＳを送信してしまう場合があるという問題があった。すなわち、直交性の高くないシーケンスを用いてＤＭＲＳを送信することによって、ＤＭＲＳを使用して復調される情報の品質が劣化してしまう場合があるという問題があった。
【０００８】
本発明は、このような事情に鑑みてなされたものであり、直交性の高いシーケンスを用いてＤＭＲＳを送信することによって、送信される情報の品質を劣化させずに復調することができる移動通信システム、基地局装置、移動局装置および通信方法を提供する。
【課題を解決するための手段】
【０００９】
（１）上記の目的を達成するために、本発明は、以下のような手段を講じた。すなわち、本発明の移動通信システムは、基地局装置と移動局装置が通信する移動通信システムであって、前記基地局装置は、物理上りリンク共用チャネルに対するリソース割り当て情報を前記移動局装置へ送信し、前記移動局装置は、上りリンク復調参照信号が配置されるサブキャリアの間隔が２以上の場合には、前記２以上のサブキャリアの間隔および前記リソース割り当て情報に基づいて、前記上りリンク復調参照信号を前記２以上のサブキャリアの間隔で配置するか、前記上りリンク復調参照信号を連続するサブキャリアに配置するかを決定することを特徴としている。
【００１０】
（２）また、前記移動局装置は、前記サブキャリアの間隔が２以上であり、且つ、前記リソース割り当て情報が所定の第１のリソースブロックサイズを示している場合には、前記上りリンク復調参照信号を前記連続するサブキャリアに配置することを特徴としている。
【００１１】
（３）また、前記移動局装置は、前記サブキャリアの間隔が２以上であり、且つ、前記リソース割り当て情報が所定の第２のリソースブロックサイズよりも小さいリソースブロックサイズを示している場合には、前記上りリンク復調参照信号を前記連続するサブキャリアに配置することを特徴としている。
【００１２】
（４）また、基地局装置と移動局装置が通信する移動通信システムであって、前記基地局装置は、物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記移動局装置へ送信し、前記移動局装置は、前記上りリンク復調参照信号が配置されるサブキャリアの間隔が２以上の場合には、前記２以上のサブキャリアの間隔および前記リソース割り当て情報および前記指示情報に基づいて、前記上りリンク復調参照信号を前記２以上のサブキャリアの間隔で配置するか、前記上りリンク復調参照信号を連続するサブキャリアに配置するかを決定することを特徴としている。
【００１３】
（５）また、前記移動局装置は、前記サブキャリアの間隔が２以上であり、且つ、前記リソース割り当て情報が所定の第１のリソースブロックサイズ以外の第３のリソースブロックサイズを示し、且つ、前記指示情報が前記上りリンク復調参照信号を前記２以上のサブキャリアの間隔で配置することを示している場合には、前記上りリンク復調参照信号を前記２以上のサブキャリアの間隔で配置し、前記リソース割り当て情報が所定の第１のリソースブロックサイズを示す、または、前記指示情報が前記上りリンク復調参照信号を前記２以上のサブキャリアの間隔で配置しないことを示している場合には、前記上りリンク復調参照信号を前記連続するサブキャリアに配置することを特徴としている。
【００１４】
（６）また、前記移動局装置は、前記サブキャリアの間隔が２以上であり、且つ、前記リソース割り当て情報が所定の第２のリソースブロックサイズ以上のリソースブロックサイズを示し、且つ、前記指示情報が前記上りリンク復調参照信号を前記２以上のサブキャリアの間隔で配置することを示している場合には、前記上りリンク復調参照信号を前記２以上のサブキャリアの間隔で配置し、前記リソース割り当て情報が所定の第２のリソースブロックサイズよりも小さいリソースブロックサイズを示す、または、前記指示情報が前記上りリンク復調参照信号を前記２以上のサブキャリアの間隔で配置しないことを示している場合には、前記上りリンク復調参照信号を前記連続するサブキャリアに配置することを特徴としている。
【００１５】
（７）また、前記上りリンク復調参照信号が配置されるサブキャリアの間隔を示す情報は、前記基地局装置によって前記移動局装置へ通知されることを特徴としている。
【００１６】
（８）また、第１のリソースブロックサイズおよび第２のリソースブロックサイズおよび第３のリソースブロックサイズは、サブキャリアによって表現されることを特徴としている。
【００１７】
（９）また、移動局装置と通信する基地局装置であって、物理上りリンク共用チャネルに対するリソース割り当て情報を前記移動局装置へ送信するユニットと、上りリンク復調参照信号が配置されるサブキャリアの間隔が２以上の場合には、前記２以上のサブキャリアの間隔および前記リソース割り当て情報に基づいて、前記２以上のサブキャリアの間隔で配置された前記上りリンク復調参照信号を前記移動局装置から受信するか、連続するサブキャリアに配置された前記上りリンク復調参照信号前記移動局装置から受信するかを決定するユニットと、を備えることを特徴としている。
【００１８】
（１０）また、前記サブキャリアの間隔が２以上であり、且つ、前記リソース割り当て情報が所定の第１のリソースブロックサイズを示している場合には、前記連続するサブキャリアに配置された前記上りリンク復調参照信号を前記移動局装置から受信するユニットを、備えることを特徴としている。
【００１９】
（１１）また、前記サブキャリアの間隔が２以上であり、且つ、前記リソース割り当て情報が所定の第２のリソースブロックサイズよりも小さいリソースブロックサイズを示している場合には、前記連続するサブキャリアに配置された前記上りリンク復調参照信号を前記移動局装置から受信するユニットを、備えることを特徴としている。
【００２０】
（１２）また、移動局装置と通信する基地局装置であって、物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記移動局装置へ送信するユニットと、前記上りリンク復調参照信号が配置されるサブキャリアの間隔が２以上の場合には、前記２以上のサブキャリアの間隔および前記リソース割り当て情報および前記指示情報に基づいて、前記２以上のサブキャリアの間隔で配置された前記上りリンク復調参照信号を前記移動局装置から受信するか、連続するサブキャリアに配置された前記上りリンク復調参照信号を前記移動局装置から受信するかを決定するユニットと、を備えることを特徴としている。
【００２１】
（１３）また、前記サブキャリアの間隔が２以上であり、且つ、前記リソース割り当て情報が所定の第１のリソースブロックサイズ以外の第３のリソースブロックサイズを示し、且つ、前記指示情報が前記上りリンク復調参照信号を前記２以上のサブキャリアの間隔で配置することを示している場合には、前記２以上のサブキャリアの間隔で配置された前記上りリンク復調参照信号を前記移動局装置から受信するユニットと、前記リソース割り当て情報が所定の第１のリソースブロックサイズを示す、または、前記指示情報が前記上りリンク復調参照信号を前記２以上のサブキャリアの間隔で配置しないことを示している場合には、前記連続するサブキャリアに配置された前記上りリンク復調参照信号を前記移動局装置から受信するユニットと、を備えることを特徴としている。
【００２２】
（１４）また、前記サブキャリアの間隔が２以上であり、且つ、前記リソース割り当て情報が所定の第２のリソースブロックサイズ以上のリソースブロックサイズを示し、且つ、前記指示情報が前記上りリンク復調参照信号を前記２以上のサブキャリアの間隔で配置することを示している場合には、前記２以上のサブキャリアの間隔で配置された前記上りリンク復調参照信号を前記移動局装置から受信するユニットと、前記リソース割り当て情報が所定の第２のリソースブロックサイズよりも小さいリソースブロックサイズを示す、または、前記指示情報が前記上りリンク復調参照信号を前記２以上のサブキャリアの間隔で配置しないことを示している場合には、前記連続するサブキャリアに配置された前記上りリンク復調参照信号を前記移動局装置から受信するユニットと、を備えることを特徴としている。
【００２３】
（１５）また、前記上りリンク復調参照信号が配置されるサブキャリアの間隔を示す情報を前記移動局装置へ通知することを特徴としている。
【００２４】
（１６）また、基地局装置と通信する移動局装置であって、物理上りリンク共用チャネルに対するリソース割り当て情報を前記基地局装置から受信するユニットと、上りリンク復調参照信号が配置されるサブキャリアの間隔が２以上の場合には、前記２以上のサブキャリアの間隔および前記リソース割り当て情報に基づいて、前記上りリンク復調参照信号を前記２以上のサブキャリアの間隔で配置するか、前記上りリンク復調参照信号を連続するサブキャリアに配置するかを決定するユニットと、を備えることを特徴としている。
【００２５】
（１７）また、前記サブキャリアの間隔が２以上であり、且つ、前記リソース割り当て情報が所定の第１のリソースブロックサイズを示している場合には、前記上りリンク復調参照信号を前記連続するサブキャリアに配置するユニットを、備えることを特徴としている。
【００２６】
（１８）また、前記サブキャリアの間隔が２以上であり、且つ、前記リソース割り当て情報が所定の第２のリソースブロックサイズよりも小さいリソースブロックサイズを示している場合には、前記上りリンク復調参照信号を前記連続するサブキャリアに配置するユニットを、備えることを特徴している。
【００２７】
（１９）また、基地局装置と通信する移動局装置であって、物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記基地局装置から受信するユニットと、前記上りリンク復調参照信号が配置されるサブキャリアの間隔が２以上の場合には、前記２以上のサブキャリアの間隔および前記リソース割り当て情報および前記指示情報に基づいて、前記上りリンク復調参照信号を前記２以上のサブキャリアの間隔で配置するか、前記上りリンク復調参照信号を連続するサブキャリアに配置するかを決定するユニットと、を備えることを特徴としている。
【００２８】
（２０）また、前記サブキャリアの間隔が２以上であり、且つ、前記リソース割り当て情報が所定の第１のリソースブロックサイズ以外の第３のリソースブロックサイズを示し、且つ、前記指示情報が前記上りリンク復調参照信号を前記２以上のサブキャリアの間隔で配置することを示している場合には、前記上りリンク復調参照信号を前記２以上のサブキャリアの間隔で配置するユニットと、前記リソース割り当て情報が所定の第１のリソースブロックサイズを示す、または、前記指示情報が前記上りリンク復調参照信号を前記２以上のサブキャリアの間隔で配置しないことを示している場合には、前記上りリンク復調参照信号を前記連続するサブキャリアに配置するユニットと、を備えることを特徴としている。
【００２９】
（２１）また、前記サブキャリアの間隔が２以上であり、且つ、前記リソース割り当て情報が所定の第２のリソースブロックサイズ以上のリソースブロックサイズを示し、且つ、前記指示情報が前記上りリンク復調参照信号を前記２以上のサブキャリアの間隔で配置することを示している場合には、前記上りリンク復調参照信号を前記２以上のサブキャリアの間隔で配置するユニットと、前記リソース割り当て情報が所定の第２のリソースブロックサイズよりも小さいリソースブロックサイズを示す、または、前記指示情報が前記上りリンク復調参照信号を前記２以上のサブキャリアの間隔で配置しないことを示している場合には、前記上りリンク復調参照信号を前記連続するサブキャリアに配置するユニットと、を備えることを特徴としている。
【００３０】
（２２）また、前記上りリンク復調参照信号が配置されるサブキャリアの間隔を示す情報を前記基地局装置によって通知されることを特徴としている。
【００３１】
（２３）また、移動局装置と通信する基地局装置の通信方法であって、物理上りリンク共用チャネルに対するリソース割り当て情報を前記移動局装置へ送信し、上りリンク復調参照信号が配置されるサブキャリアの間隔が２以上の場合には、前記２以上のサブキャリアの間隔および前記リソース割り当て情報に基づいて、前記２以上のサブキャリアの間隔で配置された前記上りリンク復調参照信号を前記移動局装置から受信するか、連続するサブキャリアに配置された前記上りリンク復調参照信号前記移動局装置から受信するかを決定することを特徴としている。
【００３２】
（２４）また、移動局装置と通信する基地局装置の通信方法であって、物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記移動局装置へ送信し、前記上りリンク復調参照信号が配置されるサブキャリアの間隔が２以上の場合には、前記２以上のサブキャリアの間隔および前記リソース割り当て情報および前記指示情報に基づいて、前記２以上のサブキャリアの間隔で配置された前記上りリンク復調参照信号を前記移動局装置から受信するか、連続するサブキャリアに配置された前記上りリンク復調参照信号を前記移動局装置から受信するかを決定することを特徴としている。
【００３３】
（２５）また、基地局装置と通信する移動局装置の通信方法であって、物理上りリンク共用チャネルに対するリソース割り当て情報を前記基地局装置から受信し、上りリンク復調参照信号が配置されるサブキャリアの間隔が２以上の場合には、前記２以上のサブキャリアの間隔および前記リソース割り当て情報に基づいて、前記上りリンク復調参照信号を前記２以上のサブキャリアの間隔で配置するか、前記上りリンク復調参照信号を連続するサブキャリアに配置するかを決定することを特徴としている。
【００３４】
（２６）また、基地局装置と通信する移動局装置の通信方法であって、物理上りリンク共用チャネルに対するリソース割り当て情報、および、上りリンク復調参照信号を２以上のサブキャリアの間隔で配置するかどうかを示す指示情報を下りリンク制御情報フォーマットに含めて前記基地局装置から受信し、前記上りリンク復調参照信号が配置されるサブキャリアの間隔が２以上の場合には、前記２以上のサブキャリアの間隔および前記リソース割り当て情報および前記指示情報に基づいて、前記上りリンク復調参照信号を前記２以上のサブキャリアの間隔で配置するか、前記上りリンク復調参照信号を連続するサブキャリアに配置するかを決定することを特徴としている。
【発明の効果】
【００３５】
直交性の高いシーケンスを用いてＤＭＲＳを送信することによって、送信される情報の品質を劣化させずに復調することができる移動通信システム、基地局装置、移動局装置および通信方法を提供する。
【図面の簡単な説明】
【００３６】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】ＤＭＲＳの送信方法を示す図である。
【図５】ＩＦＤＭを利用したＤＭＲＳの送信方法を示す図である。
【図６】ベースシーケンスの生成に使用されるテーブルの例を示す図である。
【図７】ベースシーケンスの生成に使用されるテーブルの例を示す別の図である。
【図８】ＤＭＲＳの送信制御の例を示す図である。
【図９】ＤＭＲＳの送信制御の例を示す別の図である。
【図１０】ＤＭＲＳの送信制御の例を示す別の図である。
【発明を実施するための形態】
【００３７】
次に、本発明に係る実施形態について、図面を参照しながら説明する。図１は、本発明の実施形態における物理チャネルおよび参照信号の一構成例を示す図である。ここで、物理チャネルは、時間領域、周波数領域によって定義される（構成される）。
【００３８】
図１に示すように、下りリンクの物理チャネルには、物理下りリンク制御チャネル（ＰＤＣＣＨ：Physical Downlink Control Channel）、物理下りリンク共用チャネル（ＰＤＳＣＨ：Physical Downlink Shared Channel）などが含まれる。また、上りリンクの物理チャネルには、物理上りリンク共用チャネル（ＰＵＳＣＨ：Physical Uplink Shared Channel）、物理上りリンク制御チャネル（ＰＵＣＣＨ：Physical Uplink Control Channel）などが含まれる。
【００３９】
また、基地局装置は、下りリンク参照信号（ＤＬＲＳ:Downlink Reference Signal、下りリンクパイロット信号、下りリンクパイロットチャネルとも呼称される）を、移動局装置へ送信する。また、移動局装置は、上りリンク参照信号（ＵＬＲＳ:Uplink Reference Signal、上りリンクパイロット信号、上りリンクパイロットチャネルとも呼称される）を基地局装置へ送信する。
【００４０】
ここで、上りリンク参照信号には、基地局装置が、主に、ＰＵＣＣＨまたはＰＵＳＣＨを復調するために使用される上りリンク復調参照信号（ＵＬ ＤＭＲＳ：Uplink Demodulation Reference Signal）が含まれる。また、上りリンク参照信号には、基地局装置が、主に、上りリンクのチャネル状態を推定するために使用されるサウンディング参照信号（ＳＲＳ：Sounding Reference Signal）が含まれる。
【００４１】
また、ＰＤＣＣＨは、下りリンクのスケジューリング情報（下りリンクアサインメント：downlink assignmentとも呼称される）や上りリンクのスケジューリング情報（上りリンクグラント：uplink grantとも呼称される）などの下りリンク制御情報（ＤＣＩ：Downlink Control Information）を送信（通知、指定）するために使用される物理チャネルである。また、下りリンク制御情報の送信に対して、複数のフォーマットが定義される。ここで、下りリンク制御情報のフォーマットは、ＤＣＩフォーマット（Downlink Control Information format）とも呼称される。
【００４２】
例えば、ＤＣＩフォーマット１は、１つのセルにおけるＰＤＳＣＨ（１つのＰＤＳＣＨコードワード（ＣＷ：Codeword））のスケジューリングに使用される。また、例えば、ＤＣＩフォーマット２は、マルチアンテナポートモードでの１つのセルにおけるＰＤＳＣＨのスケジューリングに使用される。すなわち、ＤＣＩフォーマット１およびＤＣＩフォーマット２は、ＰＤＳＣＨのスケジューリングに使用される下りリンクアサインメントである。
【００４３】
例えば、下りリンクアサインメントを使用して、ＰＤＳＣＨに対するリソース割り当て情報（Resource block assignment）、ＰＤＳＣＨに対する変調方式および符号化率に関する情報（ＭＣＳ：Modulation and Coding Scheme）などの情報が送信される。
【００４４】
また、例えば、ＤＣＩフォーマット０は、（シングルアンテナポート送信モードでの）１つのセルにおけるＰＵＳＣＨのスケジューリングに使用される。また、例えば、ＤＣＩフォーマット４は、マルチアンテナポートモードでの１つのセルにおけるＰＵＳＣＨのスケジューリングに使用される。すなわち、ＤＣＩフォーマット０およびＤＣＩフォーマット４は、ＰＵＳＣＨのスケジューリングに使用される上りリンクグラントである。
【００４５】
例えば、上りリンクグラントを使用して、ＰＵＳＣＨに対するリソース割り当て情報（Resource block assignment）、ＰＵＳＣＨに対する変調方式および符号化率に関する情報（ＭＣＳ：Modulation and Coding Scheme）、ＤＭＲＳに対するサイクリックシフトとオーソゴナルカバーコードを指示する情報（Cyclic shift for DMRS and OCC）などの情報が送信される。
【００４６】
また、ＰＤＳＣＨは、下りリンクデータ（下りリンク共用チャネル（ＤＬ−ＳＣＨ：Downlink Shared Channel）に対するトランスポートブロック）またはページング情報（ページングチャネル、ＰＣＨ：Paging Channel）を送信するために使用されるチャネルである。基地局装置は、ＰＤＣＣＨによって割り当てたＰＤＳＣＨを使用して、下りリンクデータを移動局装置へ送信する。
【００４７】
ここで、下りリンクデータとは、例えば、ユーザーデータを示しており、ＤＬ−ＳＣＨは、トランスポートチャネルである。また、下りリンクデータをＰＤＳＣＨで送信する単位は、下りリンクトランスポートブロック（ＴＢ：Transport Block）と呼称される。ここで、下りリンクトランスポートブロックは、ＭＡＣ（Medium Access Control）層で取り扱われる単位である。また、下りリンクトランスポートブロックは、物理層（Physical layer）において、コードワードに対応付けられる。
【００４８】
さらに、ＰＵＳＣＨは、上りリンクデータ（上りリンク共用チャネル（ＵＬ−ＳＣＨ：Uplink Shared Channel）に対するトランスポートブロック）を送信するために使用される物理チャネルである。移動局装置は、基地局装置から送信されたＰＤＣＣＨによって割り当てられたＰＵＳＣＨを使用して、上りリンクデータを基地局装置へ送信する。
【００４９】
ここで、上りリンクデータとは、例えば、ユーザーデータを示しており、ＵＬ−ＳＣＨは、トランスポートチャネルである。また、上りリンクデータをＰＵＳＣＨで送信する単位は、上りリンクトランスポートブロックと呼称される。ここで、上りリンクトランスポートブロックは、ＭＡＣ層で取り扱われる単位である。また、上りリンクトランスポートブロックは、物理層において、コードワードに対応付けられる。
【００５０】
さらに、基地局装置と移動局装置は、上位層（Higher layer）において信号をやり取り（送受信）する。例えば、基地局装置と移動局装置は、無線リソース制御（ＲＲＣ：Radio Resource Control）層において、無線リソース制御信号（以下、ＲＲＣシグナリング：Radio Resource Control Signalingとも記載する）を送受信する。
【００５１】
ここで、ＲＲＣ層において、基地局装置によって、ある移動局装置に対して送信される専用の信号（ある移動局装置に対する専用の信号）は、dedicated signalingとも呼称される。
【００５２】
また、基地局装置と移動局装置は、ＭＡＣ（Medium Access Control）層において、ＭＡＣコントロールエレメントを送受信する。ここで、ＲＲＣシグナリングおよび／またはＭＡＣコントロールエレメントは、上位層の信号（Higher layer signaling）とも呼称される。
【００５３】
また、ＰＵＣＣＨは、上りリンク制御情報（ＵＣＩ：Uplink Control Information）を送信するために使用される物理チャネルである。ここで、上りリンク制御情報には、下りリンクのチャネル状態を示すチャネル状態情報（ＣＳＩ：Channel State Information）が含まれる。また、上りリンク制御情報には、ＨＡＲＱ（ハイブリッド自動再送要求：Hybrid Automatic Repeat Request）における制御情報が含まれる。ここで、ＨＡＲＱにおける制御情報には、下りリンクデータに対するＡＣＫ／ＮＡＣＫ（肯定応答：Positive Acknowledgement／否定応答：Negative Acknowledgement）を示す情報が含まれる。また、上りリンク制御情報には、移動局装置が上りリンクデータを送信するためのリソースの割り当てを要求するために使用されるスケジューリングリクエスト（ＳＲ：Scheduling Request）が含まれる。
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。ここで、基地局装置１００を構成する各部を、ユニットとも呼称する。
【００５４】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５５】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５６】
送信データ変調部１０２は、送信データをＯＦＤＭ方式に変調する。送信データ変調部１０２は、データ制御部１０１から入力されたデータに対して、スケジューリング部１０４からのスケジューリング情報や、各物理リソースブロック（ＰＲＢ：Physical Resource Block）に対応する変調方式および符号化方式に基づいて、コーディング、入力信号の直列／並列変換、ＩＦＦＴ（逆高速フーリエ変換：Inverse Fast Fourier Transform）処理、ＣＰ（Cyclic Prefix）挿入、並びに、フィルタリングなどの信号処理を行ない、送信データを生成して、無線部１０３へ出力する。
【００５７】
ここで、スケジューリング情報には、ＰＲＢ割り当て情報、例えば、周波数、時間によって構成されるＰＲＢの位置情報が含まれ、各ＰＲＢに対応する変調方式および符号化方式には、例えば、変調方式：１６ＱＡＭ、符号化率：２／３コーディングレートなどの情報が含まれる。
【００５８】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５９】
スケジューリング部１０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００６０】
スケジューリング部１０４は、下りリンクのスケジューリングでは、移動局装置２００から受信した上りリンク制御情報や、各移動局装置２００において使用可能なＰＲＢの情報や、バッファ状況や、上位層１０８から入力されたスケジューリング情報などに基づいて、各データを変調するための下りリンクのトランスポートフォーマット（送信形態、すなわち、ＰＲＢの割り当てや変調方式や符号化方式）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００６１】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００において使用可能なＰＲＢの情報、上位層１０８から入力されたスケジューリング情報などに基づいて、各データを変調するための上りリンクのトランスポートフォーマット（送信形態、すなわち、ＰＲＢの割り当てや変調方式や符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６２】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６３】
チャネル推定部１０５は、上りリンクデータの復調のために、上りリンク復調用参照信号（ＵＤＲＳ：Uplink Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００６４】
受信データ復調部１０６は、ＯＦＤＭ方式および／またはＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６５】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩやＨＡＲＱにおける制御情報やスケジューリングリクエストなどが含まれている。
【００６６】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００６７】
上位層１０８は、無線リソース制御部１１０（制御部とも呼称される）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（ＵＥＩＤ）の管理などを行なっている。上位層１０８は、別の基地局装置１００への情報および上位ノードへの情報の授受を行なう。
【００６８】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。ここで、移動局装置２００を構成する各部を、ユニットとも呼称する。
【００６９】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００７０】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００７１】
送信データ変調部２０２は、送信データをＯＦＤＭ方式および／またはＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７２】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７３】
スケジューリング部２０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００７４】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７５】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７６】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Cyclic Redundancy Check）の確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７７】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態の推定結果を通知するために、下りリンク参照信号から下りリンクのチャネル状態を推定し、この推定結果を、チャネル状態情報として、スケジューリング部２０４に出力する。
【００７８】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００７９】
データ抽出部２０７は、受信データ復調部２０６から入力されたデータに対して、ＣＲＣを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００８０】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００８１】
上位層２０８は、無線リソース制御部２１０（制御部とも呼称される）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００８２】
（第１の実施形態）
次に、基地局装置１００および移動局装置２００を用いた移動通信システムにおける第１の実施形態を説明する。
【００８３】
［ＤＭＲＳの送信方法］
以下、本実施形態に係る（ＩＦＤＭを利用しない）ＤＭＲＳの送信方法について記載する。図４は、（ＩＦＤＭを利用しない）ＤＭＲＳの送信方法を示す図である。図４において、縦軸は周波数軸であり、１つのグリッドはサブキャリアを示している。さらに、横軸は時間軸であり、周波数領域を時間領域に変換し、サイクリックプレフィックスを付与する単位によって時間が分割される。これを、１ＳＣ−ＦＤＭＡシンボルとも呼称する。
【００８４】
ここで、周波数領域において“ＮRBSC”の連続したサブキャリアと、時間領域において“ＮULsymb”の連続したＳＣ−ＦＤＭＡシンボルによって定義される領域を、１物理リソースブロック（ＰＲＢ：Physical Resource Block、以下、リソースブロックとも記載する）とも呼称する。１リソースブロックは、１上りリンクスロットに対応して、“ＮRBSC×ＮULsymb”のリソースエレメントによって構成される。
【００８５】
すなわち、“ＮRBSC”は、サブキャリアの数として表される周波数領域におけるリソースブロックサイズを示している。以下、一例として、“ＮRBSC”を、１２サブキャリアとして記載する。すなわち、１リソースブロックの周波数領域におけるサブキャリア数を１２サブキャリアとして記載する。
【００８６】
また、“ＮULsymb”は、１上りリンクスロットにおけるＳＣ−ＦＤＭＡシンボルの数を示している。以下、一例として、“ＮULsymb”を、７ＳＣ−ＦＤＭＡシンボルまたは６ＳＣ−ＦＤＭＡシンボルとして記載する。すなわち、１リソースブロックの時間領域におけるシンボル数を、７ＳＣ−ＦＤＭＡシンボルまたは６ＳＣ−ＦＤＭＡシンボルとして記載する。
【００８７】
また、例えば、図４に示すように、連続する７ＳＣ−ＦＤＭＡシンボルによって１スロットが構成され、２スロットによって１サブフレームが構成される。ここで、１サブフレームは、時間領域におけるリソース割り当ての最小分割単位であり、基地局装置は、ＰＤＣＣＨで送信されるＤＣＩフォーマットなどを使用して、サブフレーム毎に、移動局装置をスケジュールする（割り当てる）。
【００８８】
すなわち、基地局装置は、ＤＣＩフォーマットに含まれるＰＵＳＣＨに対するリソース割り当て情報を使用して、ＰＵＳＣＨリソースをスケジュールする。ここで、基地局装置は、リソースブロックの単位で、ＰＵＳＣＨリソースをスケジュールする。以下、サブキャリアの数として表されるＰＵＳＣＨの送信（上りリンクの送信）に対してスケジュールされる帯域幅を、“ＭPUSCHSC”とも記載する。
【００８９】
ここで、例えば、図４に示すように、ＤＭＲＳは、各サブフレームの第３のＳＣ−ＦＤＭＡシンボルおよび第１０のＳＣ−ＦＤＭＡシンボルに配置される。以下、第３のＳＣ−ＦＤＭＡシンボルで送信されるＤＭＲＳを第１のＤＭＲＳ、第１０のＳＣ−ＦＤＭＡシンボルで送信されるＤＭＲＳを第２のＤＭＲＳとも記載する。
【００９０】
また、図４に示すように、第１のＤＭＲＳ、第２のＤＭＲＳを生成するために、ベースシーケンス“γ- u,v(ｎ)”が利用（使用）される。ここで、ベースシーケンスに対してサイクリックシフトが適用され、参照信号シーケンス“γ(α) u,v(ｎ)”が生成される。例えば、参照信号シーケンスは、数式（１）によって生成される。
【００９１】
【数１】
2013021416.tif 000003
【００９２】
ここで、“α”は、サイクリックシフトを示しており、例えば、ＤＣＩフォーマットに含まれる下りリンク制御情報（例えば、ＤＭＲＳに対するサイクリックシフトとオーソゴナルカバーコードを指示する情報）によって通知される。
【００９３】
また、“ＭRSSC”は、参照信号シーケンスの長さを示しており、“ＭRSSC＝ｍＮRBSC（１≦ｍ≦Ｎmax, ULRB）”によって定義される。ここで、“Ｎmax, ULRB”は、“ＮRBSC”の倍数によって表される最大の上りリンク帯域幅の設定である。ここで、例えば、移動局装置が、ＤＭＲＳをＰＵＳＣＨと多重する場合には、“ＭRSSC＝ＭPUSCHSC”として定義される。
【００９４】
以下、基本的には、移動局装置が、ＤＭＲＳをＰＵＳＣＨと多重し、多重されたＤＭＲＳとＰＵＳＣＨを送信することについて記載するが、移動局装置が、ＤＭＲＳを他の物理チャネルと多重し、多重されたＤＭＲＳと他の物理チャネルを送信する際にも、以下の形態と同様の形態が適用できることは勿論である。
【００９５】
ここで、ベースシーケンス“γ- u,v(０)、…、γ-u,v(ＭRSSC−１)”の定義は、“ＭRSSC”のシーケンスの長さに依存する。すなわち、移動局装置が、ＤＭＲＳをＰＵＳＣＨと多重する場合（“ＭRSSC＝ＭPUSCHSC”の場合）、ＰＵＳＣＨの送信に対してスケジュールされる帯域幅“ＭPUSCHSC”に応じて、異なるベースシーケンスが利用される。
【００９６】
さらに、図４において、参照信号シーケンスに対してオーソゴナルカバーコード（ＯＣＣ：Orthogonal Cover Code）が適用され、復調参照信号シーケンス“γ(λ)PUSCH(ｍ・ＭRSSC＋ｎ)”が生成される。例えば、復調参照信号シーケンスは、数式（２）によって生成される。
【００９７】
【数２】
2013021416.tif 000004
【００９８】
ここで、“λ”は、“λ∈{０、１、…、υ−１}”によって定義され、“υ”は、送信レイヤ数を示している。また、例えば、“ｍ＝０または１”によって示される。また、例えば、“ｎ＝ＭRSSC−１”によって示される。
【００９９】
さらに、“Ｗ(λ)(m)”は、オーソゴナルシーケンスを示しており、例えば、ＤＣＩフォーマットに含まれる下りリンク制御情報（例えば、ＤＭＲＳに対するサイクリックシフトとオーソゴナルカバーコードを指示する情報）によって通知される。例えば、移動局装置は、基地局装置によって通知される下りリンク制御情報に基づいて、参照信号シーケンスに対して、“Ｗ１＝＋１、Ｗ２＝＋１”や“Ｗ１＝＋１、Ｗ２＝−１”などのオーソゴナルカバーコードを適用する。
【０１００】
ここで、Ｗ１とは、第１のＤＭＲＳ全体に乗算される重みであり、ＯＣＣを［＋１、−１］のようなベクトルで表記する場合は、第１の要素がＷ１、第２の要素がＷ２に対応する。すなわち、参照信号シーケンスに全体に対して、Ｗ１およびＷ２が乗算され、復調参照信号シーケンスが生成される。
【０１０１】
上記までに説明した通り、移動局装置は、ＤＭＲＳを生成し、生成したＤＭＲＳを（ＩＦＤＭを利用しないで）送信する。すなわち、移動局装置は、ＤＭＲＳをＰＵＳＣＨと多重し、多重されたＤＭＲＳとＰＵＳＣＨを送信する。すなわち、移動局装置は、ＤＭＲＳとＰＵＳＣＨを時間多重して送信する。
【０１０２】
［ＩＦＤＭを利用したＤＭＲＳの送信方法］
以下、本実施形態に係るＩＦＤＭを利用したＤＭＲＳの送信方法について記載する。図５は、ＩＦＤＭを利用したＤＭＲＳの送信方法を示す図である。ここで、図５の上段は、図４に対応している。すなわち、上記で説明した参照信号シーケンスの生成方法、復調参照信号シーケンスの生成方法などは、ＩＦＤＭを利用したＤＭＲＳの送信に対しても適用される。
【０１０３】
図５に示すように、ＩＦＤＭを利用したＤＭＲＳの送信において、ＤＭＲＳは、ある一定の間隔でサブキャリア（リソース、リソースエレメントでも良い）に配置される（この配置は、櫛形スペクトル配置とも呼称される）。すなわち、ＤＭＲＳは、ある一定のサブキャリア間隔で離散的に配置（分散配置）される。
【０１０４】
図５の上段では、ＤＭＲＳが、３サブキャリア毎に配置されていることを示している。例えば、ＤＭＲＳは、１サブフレームの３番目のＳＣ−ＦＤＭＡシンボルと１０番目のＳＣ−ＦＤＭＡシンボルにおいて、３サブキャリア毎に配置される。
【０１０５】
また、図５の下段は、ＤＭＲＳが配置される３番目のＳＣ−ＦＤＭＡシンボルをより詳細に示しており、横軸は周波数軸を示している。ここで、ＤＭＲＳが配置されるサブキャリアは、例えば、周波数オフセット“ｎREOFFSET”と繰り返しファクタ“ｎDMRSRPF”（ＲＰＦ：Repetition Factor）によって決定される。
【０１０６】
すなわち、ＤＭＲＳが配置されるサブキャリアの開始位置は、周波数オフセット（周波数オフセット値）によって決定される。ここで、周波数オフセット値は、サブキャリアオフセット値とも呼称される。また、周波数オフセット値は、ＩＦＤＭ送信コーム（IFDM transmission comb）とも呼称される。
【０１０７】
例えば、基地局装置は、周波数オフセット値を、ＲＲＣシグナリング（dedicated signalingでも良い）を使用して送信する。また、例えば、周波数オフセット値は、基地局装置によって通知された下りリンク制御情報を用いて、移動局装置によって算出されても良い。例えば、基地局装置は、移動局装置が周波数オフセット値を算出するための下りリンク制御情報を、ＲＲＣシグナリング（dedicated signalingでも良い）を使用して送信する。また、例えば、基地局装置は、移動局装置が周波数オフセット値を算出するための下りリンク制御情報を、ＤＣＩフォーマットに含めて送信する。
【０１０８】
また、ＤＭＲＳが配置されるサブキャリアの間隔は、繰り返しファクタ（繰り返しファクタ値）によって決定される。例えば、基地局装置は、繰り返しファクタ値を、ＲＲＣシグナリング（dedicated signalingでも良い）を使用して送信する。また、例えば、基地局装置は、繰り返しファクタ値を、ＤＣＩフォーマットに含めて送信する。移動局装置は、基地局装置によって送信された繰り返しファクタ値に従って、ある一定の間隔でＤＭＲＳをサブキャリアに配置する。ここで、繰り返しファクタ値は、仕様等によって、予め定義されていても良い。例えば、繰り返しファクタ値は、仕様等によって、予め“２”や“３”として定義されていても良い。
【０１０９】
上記までに説明したように、移動局装置は、ＤＭＲＳを生成し、生成したＤＭＲＳを、ＩＦＤＭを利用して送信する。すなわち、移動局装置は、一定のサブキャリア間隔で配置されたＤＭＲＳをＰＵＳＣＨと多重し、多重されたＤＭＲＳとＰＵＳＣＨを送信する。すなわち、移動局装置は、ＤＭＲＳとＰＵＳＣＨを時間多重して送信する。
【０１１０】
［ベースシーケンスの生成］
以下、本実施形態に係るベースシーケンスの生成方法について記載する。以下に記載のベースシーケンスの生成方法は、ＩＦＤＭを利用しないＤＭＲＳの送信にも、ＩＦＤＭを利用したＤＭＲＳの送信にも適用される。すなわち、ＩＦＤＭを利用しないでＤＭＲＳを送信する際のベースシーケンスと、ＩＦＤＭを利用してＤＭＲＳを送信する際のベースシーケンスは、同一の方法によって生成される。
【０１１１】
ここで、上記で説明した通り、ベースシーケンス“γ- u,v(０)、…、γ-u,v(ＭRSSC−１)”は、参照信号シーケンス“ＭRSSC＝ｍＮRBSC”の長さに依存する。
【０１１２】
例えば、“ＭRSSC≧３ＮRBSC”に対して、ベースシーケンス“γ- u,v(０)、…、γ-u,v(ＭRSSC−１)”は、 数式（３）によって与えられる。
【０１１３】
【数３】
2013021416.tif 000005
【０１１４】
ここで、ｑ番目のルートZadoff-Chuシーケンスは、数式（４）によって定義される。
【０１１５】
【数４】
2013021416.tif 000006
【０１１６】
ここで、ｑは、数式（５）および数式（６）によって与えられる。
【０１１７】
【数５】
2013021416.tif 000007
【０１１８】
【数６】
2013021416.tif 000008
【０１１９】
また、Zadoff-Chuシーケンスの長さ“ＮRSZC”は、“ＮRSZC＜ＭRSSC”を満たす最大の素数によって与えられる。
【０１２０】
さらに、例えば、“ＭRSSC＝ＮRBSC”と“ＭRSSC＝２ＮRBSC”に対して、ベースシーケンス“γ- u,v(０)、…、γ-u,v(ＭRSSC−１)”は、 数式（７）によって与えられる。
【０１２１】
【数７】
2013021416.tif 000009
【０１２２】
ここで、例えば、φ（ｎ）は、“ＭRSSC＝ＮRBSC”に対して図６に示すようなテーブルで定義される。また、例えば、φ（ｎ）は、“ＭRSSC＝２ＮRBSC”に対して図７に示すようなテーブルで定義される。すなわち、ベースシーケンスを、参照信号シーケンスの長さに依存させて生成することによって、より直交性の高いベースシーケンスを用いてＤＭＲＳを送信することが可能となる。
【０１２３】
例えば、移動局装置は、ＤＭＲＳをＰＵＳＣＨと多重する場合（“ＭRSSC＝ＭPUSCHSC”の場合）、ＰＵＳＣＨの送信に対してスケジュールされた帯域幅が小さかったとしても（例えば、“ＭRSSC＝ＮRBSC”や“ＭRSSC＝２ＮRBSC”、すなわち、１リソースブロックや２リソースブロックのみがスケジュールされたとしても）、図６や図７に示すような予め定義されたテーブル（より直交性の高いベースシーケンスを生成可能なテーブル）に従って、ベースシーケンスを生成することによって、直交性の高いベースシーケンスを用いてＤＭＲＳを送信することが可能となる。
【０１２４】
［ＤＭＲＳの送信制御］
図８は、本発明の実施形態に係るＤＭＲＳの送信制御の例を示す図である。
【０１２５】
本発明の実施形態では、基地局装置は、ＰＵＳＣＨに対するリソース割り当て情報を移動局装置へ送信し、移動局装置は、ＤＭＲＳが配置されるサブキャリアの間隔（繰り返しファクタ値と同等の情報である）が２以上の場合には、２以上のサブキャリアの間隔およびリソース割り当て情報に基づいて、ＤＭＲＳを２以上のサブキャリアの間隔で配置するか（ＩＦＤＭを利用したＤＭＲＳの送信を行う、と同等である）、ＤＭＲＳを連続するサブキャリアに配置するか（ＩＦＤＭを利用しないＤＭＲＳの送信を行う、または、繰り返しファクタ値として“１”が設定されたＩＦＤＭを利用したＤＭＲＳの送信を行う、と同等である）を決定する。
【０１２６】
また、移動局装置は、サブキャリアの間隔が２以上であり、且つ、リソース割り当て情報が所定の第１のリソースブロックサイズを示している場合には、ＤＭＲＳを連続するサブキャリアに配置する。
【０１２７】
また、移動局装置は、サブキャリアの間隔が２以上であり、且つ、リソース割り当て情報が所定の第２のリソースブロックサイズよりも小さいリソースブロックサイズを示している場合には、ＤＭＲＳを連続するサブキャリアに配置する。
【０１２８】
また、基地局装置は、ＰＵＳＣＨに対するリソース割り当て情報、および、ＤＭＲＳを２以上のサブキャリアの間隔で配置するかどうかを示す指示情報（ＩＦＤＭを利用したＤＭＲＳの送信を有効または無効とする情報と同等の情報である）を下りリンク制御情報フォーマットに含めて移動局装置へ送信し、移動局装置は、ＤＭＲＳが配置されるサブキャリアの間隔が２以上の場合には、２以上のサブキャリアの間隔およびリソース割り当て情報および指示情報に基づいて、ＤＭＲＳを２以上のサブキャリアの間隔で配置するか、ＤＭＲＳを連続するサブキャリアに配置するかを決定する。
【０１２９】
また、移動局装置は、サブキャリアの間隔が２以上であり、且つ、リソース割り当て情報が所定の第１のリソースブロックサイズ以外の第３のリソースブロックサイズを示し、且つ、指示情報がＤＭＲＳを前記２以上のサブキャリアの間隔で配置することを示している場合（ＩＦＤＭを利用したＤＭＲＳの送信が有効の場合）には、ＤＭＲＳを２以上のサブキャリアの間隔で配置し、リソース割り当て情報が所定の第１のリソースブロックサイズを示す、または、指示情報がＤＭＲＳを２以上のサブキャリアの間隔で配置しないことを示している場合（ＩＦＤＭを利用したＤＭＲＳの送信が無効の場合）には、ＤＭＲＳを連続するサブキャリアに配置する。
【０１３０】
また、移動局装置は、サブキャリアの間隔が２以上であり、且つ、リソース割り当て情報が所定の第２のリソースブロックサイズ以上のリソースブロックサイズを示し、且つ、指示情報がＤＭＲＳを２以上のサブキャリアの間隔で配置することを示している場合には、ＤＭＲＳを２以上のサブキャリアの間隔で配置し、リソース割り当て情報が所定の第２のリソースブロックサイズよりも小さいリソースブロックサイズを示す、または、指示情報がＤＭＲＳを２以上のサブキャリアの間隔で配置しないことを示している場合には、ＤＭＲＳを連続するサブキャリアに配置する。
【０１３１】
ここで、上記で説明したように、上りリンク復調参照信号が配置されるサブキャリアの間隔を示す情報は、繰り返しファクタ値として、基地局装置によって移動局装置へ通知される。
【０１３２】
また、第１のリソースブロックサイズは、サブキャリアによって表現される。また、第２のリソースブロックサイズは、サブキャリアによって表現される。さらに、第３のリソースブロックサイズは、サブキャリアによって表現される。
【０１３３】
上記で説明した通り、図８において、例えば、基地局装置は、移動局装置がＤＭＲＳを送信する際に使用される周波数オフセットを設定する。また、例えば、基地局装置は、移動局装置がＤＭＲＳを送信する際に使用される繰り返しファクタを設定する。
【０１３４】
さらに、図８において、基地局装置は、ＤＭＲＳを一定の間隔（繰り返しファクタによって示された間隔）でサブキャリアに配置して送信することを移動局装置へセット（設定でも良い）する。すなわち、基地局装置は、ＤＭＲＳを一定の間隔でサブキャリアに配置することを移動局装置へセットする。すなわち、基地局装置は、ＩＦＤＭを利用したＤＭＲＳの送信を移動局装置へセットする。
【０１３５】
ここで、基地局装置によってＩＦＤＭを利用したＤＭＲＳの送信をセットされた移動局装置は、ＩＦＤＭを利用してＤＭＲＳを送信することが可能となる。すなわち、基地局装置によってＩＦＤＭを利用したＤＭＲＳの送信をセットされた移動局装置は、ＩＦＤＭを利用したＤＭＲＳの送信、または、ＩＦＤＭを利用しないＤＭＲＳの送信を行うことが可能となる。
【０１３６】
ここで、例えば、基地局装置は、ＩＦＤＭを利用したＤＭＲＳの送信を、ＲＲＣシグナリング（dedicated signalingでも良い）を使用してセットする。また、例えば、基地局装置は、ＩＦＤＭを利用したＤＭＲＳの送信を、ＭＡＣコントロールエレメントを使用してセットする。例えば、ＩＦＤＭを利用したＤＭＲＳの送信は、１ビットの情報によって表され、１ビットの情報が“０”にセットされている場合には“not set”、１ビットの情報が“１”にセットされている場合には“set”のように定義される。
【０１３７】
ここで、基地局装置によるＩＦＤＭを利用したＤＭＲＳの送信に対する“not set”または“set”は、繰り返しファクタ値の設定とリンクされても良い。例えば、基地局装置は、繰り返しファクタ値を“２”や“３”に設定することによって、ＩＦＤＭを利用したＤＭＲＳの送信をセットしても良い。ここで、基地局装置によって、繰り返しファクタ値が“１”に設定された場合には、ＩＦＤＭを利用したＤＭＲＳの送信がセットされていないことと同等となる。
【０１３８】
すなわち、基地局装置は、繰り返しファクタ値を設定することによって、ＩＦＤＭを利用したＤＭＲＳの送信を“not set”または“set”することができる。例えば、基地局装置は、繰り返しファクタ値を“１”に設定することによってＩＦＤＭを利用したＤＭＲＳの送信を“not set”し（ＩＦＤＭを利用しないＤＭＲＳの送信を“set”し）、繰り返しファクタ値を“１”よりも大きく設定することによってＩＦＤＭを利用したＤＭＲＳの送信を“set”することができる。
【０１３９】
基地局装置が、このようにＩＦＤＭを利用したＤＭＲＳの送信を“not set”または“set”することによって、ＩＦＤＭを利用したＤＭＲＳの送信を“not set”または“set”するための情報を明示的に送信する必要がなくなり、オーバーヘッドを削減することが可能となる。
【０１４０】
図８では、基地局装置が、ＩＦＤＭを利用したＤＭＲＳの送信をセットするとともに、繰り返しファクタ値として“x（エックス）”を設定していることを示している（ステップ８０１）。ここで、移動局装置は、ＩＦＤＭを利用したＤＭＲＳの送信がセットされていない場合には（ステップ８０１：ＮＯ）、ＩＦＤＭを利用したＤＭＲＳの送信を行わない。以下、移動局装置が、ＩＦＤＭを利用したＤＭＲＳの送信を行わないことを、ＩＦＤＭを利用したＤＭＲＳの送信をオフするとも記載する（ステップ８０２）。
【０１４１】
すなわち、ＩＦＤＭを利用したＤＭＲＳの送信を行わない移動局装置は、図４で説明したように、ＤＭＲＳを連続したサブキャリアに配置する。すなわち、移動局装置は、連続したサブキャリアに配置されたＤＭＲＳをＰＵＳＣＨと多重し、多重されたＤＭＲＳとＰＵＳＣＨを送信する。
【０１４２】
ここで、移動局装置が、ＤＭＲＳを連続したサブキャリアに配置するとは、ＤＭＲＳを、繰り返しファクタ値を“１”としてサブキャリアに配置することと同様である。上記で説明した通り、基地局装置は、繰り返しファクタ値を“１”に設定することによって、ＩＦＤＭを利用しないＤＭＲＳの送信をセットすることができる。これは、基地局装置が、繰り返しファクタ値が“１”に設定されたＩＦＤＭを利用したＤＭＲＳの送信と同様である。すなわち、移動局装置が、ＤＭＲＳを連続したサブキャリアに配置するとは、繰り返しファクタ値として“１”が設定され、繰り返しファクタ値に基づいて、ＤＭＲＳをサブキャリアに配置することと同様である。
【０１４３】
また、移動局装置は、ＩＦＤＭを利用したＤＭＲＳの送信がセットされている場合には（ステップ８０１：ＹＥＳ）、ＩＦＤＭを利用したＤＭＲＳの送信を行うかどうかの条件を確認（認識、識別）する（ステップ８０３）。
【０１４４】
すなわち、移動局装置は、ＩＦＤＭを利用したＤＭＲＳの送信を有効とする条件が満たされている場合には（ステップ８０３：ＹＥＳ）、ＩＦＤＭを利用してＤＭＲＳの送信を行う。以下、移動局装置が、ＩＦＤＭを利用したＤＭＲＳの送信を行うことを、ＩＦＤＭを利用したＤＭＲＳの送信をオンするとも記載する（ステップ８０４）。
【０１４５】
すなわち、ＩＦＤＭを利用したＤＭＲＳの送信を行う移動局装置は、図５で説明したように、ＤＭＲＳを一定の間隔でサブキャリアに配置する。すなわち、移動局装置は、繰り返しファクタ値によって示された“x”に従って、ＤＭＲＳを“x”毎のサブキャリアに配置する。すなわち、移動局装置は、“x”毎のサブキャリアに配置されたＤＭＲＳをＰＵＳＣＨと多重し、多重されたＤＭＲＳとＰＵＳＣＨを送信する。
【０１４６】
また、移動局装置は、ＩＦＤＭを利用したＤＭＲＳの送信を有効とする条件が満たされていない場合（ＩＦＤＭを利用したＤＭＲＳの送信を無効とする条件が満たされている場合）には（ステップ８０３：ＮＯ）、ＩＦＤＭを利用したＤＭＲＳの送信をオフする（ステップ８０５）。
【０１４７】
上記で説明したように、ＩＦＤＭを利用したＤＭＲＳの送信をオフした移動局装置は、ＤＭＲＳを連続したサブキャリアに配置する。すなわち、移動局装置は、連続したサブキャリアに配置されたＤＭＲＳをＰＵＳＣＨと多重し、多重されたＤＭＲＳとＰＵＳＣＨを送信する。
【０１４８】
ここで、基地局装置によって、ＩＦＤＭを利用したＤＭＲＳの送信がセットされ（ＩＦＤＭを利用したＤＭＲＳの送信に対する周波数オフセット値および／または繰り返しファクタ値が設定され、でも良い）、さらに、ＩＦＤＭを利用したＤＭＲＳの送信を無効とされている場合には、移動局装置は、ＩＦＤＭを利用したＤＭＲＳの送信を適用しない（Ｎ/Ａ：not applicable）とも記載する。
【０１４９】
すなわち、ＩＦＤＭを利用したＤＭＲＳの送信がセットされた移動局装置は、ＤＭＲＳを一定の間隔でサブキャリアに配置するか、ＤＭＲＳを連続したサブキャリアに配置するかを、所定の条件に基づいて決定する。すなわち、移動局装置は、所定の条件が満たされている場合にはＤＭＲＳを一定の間隔でサブキャリアに配置し、所定の条件が満たされていない場合にはＤＭＲＳを連続したサブキャリアに配置する。
【０１５０】
ここで、所定の条件には、繰り返しファクタ値によって示されるサブキャリアの間隔が２以上であることが含まれる。上記で説明したように、基地局装置は、繰り返しファクタ値を、ＲＲＣシグナリング（dedicated signalingでも良い）を使用して設定する。
【０１５１】
すなわち、移動局装置は、繰り返しファクタ値によって示されるサブキャリアの間隔が２以上の場合には、ＤＭＲＳを一定の間隔でサブキャリアに配置する。また、移動局装置は、繰り返しファクタ値によって示されるサブキャリアの間隔が１の場合には、ＤＭＲＳを連続したサブキャリアに配置する。
【０１５２】
また、所定の条件には、基地局装置によってスケジュールされるＰＵＳＣＨのリソースブロックサイズが、所定の第１のリソースブロックサイズ以外の第３のリソースブロックサイズであることが含まれる。また、所定の条件には、基地局装置によってスケジュールされるＰＵＳＣＨのリソースブロックサイズが、所定の第２のリソースブロックサイズ以上であることが含まれる。上記で説明したように、基地局装置は、ＰＵＳＣＨのリソースブロックサイズ（すなわち、帯域幅“ＭPUSCHSC”）を、ＤＣＩフォーマットに含まれるＰＵＳＣＨに対するリソース割り当て情報を使用して通知する。
【０１５３】
すなわち、移動局装置は、リソース割り当て情報によって示されるリソースブロックサイズが、所定の第１のリソースブロックサイズ以外の第３のリソースブロックサイズの場合には、ＤＭＲＳを一定の間隔でサブキャリアに配置する。また、移動局装置は、リソース割り当て情報によって示されるリソースブロックサイズが、所定の第２のリソースブロックサイズ以上の場合には、ＤＭＲＳを一定の間隔でサブキャリアに配置する。
【０１５４】
また、移動局装置は、リソース割り当て情報によって示されるリソースブロックサイズが、所定の第１のリソースブロックサイズの場合には、ＤＭＲＳを連続したサブキャリアに配置する。また、移動局装置は、リソース割り当て情報によって示されるリソースブロックサイズが、所定の第２のリソースブロックサイズよりも小さい場合には、ＤＭＲＳを連続したサブキャリアに配置する。
【０１５５】
ここで、移動局装置は、繰り返しファクタ値によって示されるサブキャリアの間隔が２以上であり、且つ、リソース割り当て情報によって示されるリソースブロックサイズが所定の第１のリソースブロックサイズの場合には、ＤＭＲＳを連続したサブキャリアに配置する。
【０１５６】
すなわち、移動局装置は、上位層（ＲＲＣ層および／またはＭＡＣ層）で設定される条件よりも、物理層（ＰＨＹ層：physical layer、下位層：lower layerとも呼称される）で指示される条件を優先する。すなわち、ＰＤＣＣＨで送信されるＤＣＩフォーマットによって指示される条件は、ＲＲＣシグナリングによって設定される条件よりも優先度が高い。
【０１５７】
同様に、移動局装置は、繰り返しファクタ値によって示されるサブキャリアの間隔が２以上であり、且つ、リソース割り当て情報によって示されるリソースブロックサイズが所定の第２のリソースブロックサイズよりも小さい場合には、ＤＭＲＳを連続したサブキャリアに配置する。
【０１５８】
さらに、所定の条件には、ＩＦＤＭを利用したＤＭＲＳの送信を有効または無効とする指示情報が、有効を示していることが含まれても良い。ここで、指示情報は、ＤＣＩフォーマットに含まれる。すなわち、基地局装置は、ＤＭＲＳを一定の間隔でサブキャリアに配置して送信するかどうかを示す指示情報を、ＤＣＩフォーマットに含めて送信する。
【０１５９】
ここで、例えば、指示情報は、１ビットの情報によって表され、１ビットの情報が“０”にセットされている場合には“ＩＦＤＭを利用したＤＭＲＳの送信を無効”、１ビットの情報が“１”にセットされている場合には“ＩＦＤＭを利用したＤＭＲＳの送信を有効”のように定義される。
【０１６０】
また、例えば、指示情報は、ＤＣＩフォーマットに含まれる所定の下りリンク制御情報が、所定の値にセットされることによって識別されても良い。例えば、移動局装置は、ＤＣＩフォーマットに含まれるＤＭＲＳに対するサイクリックシフトとオーソゴナルカバーコードを指示する情報が、所定の値（例えば、３ビットの情報全てが“０”）にセットされていることを識別することによって、ＩＦＤＭを利用したＤＭＲＳの送信を、有効または無効としても良い。ここで、ＤＣＩフォーマットに含まれるどの下りリンク制御情報がどの値にセットされた場合に、ＩＦＤＭを利用したＤＭＲＳの送信を、有効または無効とするのかは、仕様等によって予め定義される。
【０１６１】
すなわち、移動局装置は、指示情報によって、ＩＦＤＭを利用したＤＭＲＳの送信が有効と示されている場合には、ＤＭＲＳを一定の間隔でサブキャリアに配置する。また、移動局装置は、指示情報によって、ＩＦＤＭを利用したＤＭＲＳの送信が無効と示されている場合には、ＤＭＲＳを連続したサブキャリアに配置する。
【０１６２】
すなわち、移動局装置は、繰り返しファクタ値によって示されるサブキャリアの間隔が２以上であり、且つ、リソース割り当て情報によって示されるリソースブロックサイズが所定の第１のリソースブロックサイズ以外の第３のリソースブロックであり、且つ、指示情報によってＩＦＤＭを利用したＤＭＲＳの送信が有効と示されている場合には、ＤＭＲＳを一定の間隔でサブキャリアに配置する。
【０１６３】
また、移動局装置は、繰り返しファクタ値によって示されるサブキャリアの間隔が２以上であり、且つ、リソース割り当て情報によって示されるリソースブロックサイズが所定の第２のリソースブロックサイズ以上であり、且つ、指示情報によってＩＦＤＭを利用したＤＭＲＳの送信が有効と示されている場合には、ＤＭＲＳを一定の間隔でサブキャリアに配置する。
【０１６４】
ここで、例えば、移動局装置は、繰り返しファクタ値によって示されるサブキャリアの間隔が２以上であり、且つ、リソース割り当て情報によって示されるリソースブロックサイズが所定の第２のリソースブロックサイズ以上であり、且つ、指示情報によってＩＦＤＭを利用したＤＭＲＳの送信が無効と示されている場合には、ＤＭＲＳを連続したサブキャリアに配置する。
【０１６５】
すなわち、移動局装置は、物理層で送信される全ての情報（条件）が、ＩＦＤＭを利用したＤＭＲＳの送信に対して有効を示している場合のみ、ＤＭＲＳを一定の間隔でサブキャリアに配置する。例えば、移動局装置は、ＤＣＩフォーマットに含まれるリソース割り当て情報と指示情報の両方が、所定の条件を満たしている場合のみ、ＤＭＲＳを一定の間隔でサブキャリアに配置する。すなわち、移動局装置は、ＤＣＩフォーマットに含まれるリソース割り当て情報と指示情報のいずれか１つが、所定の条件を満たしていない場合には、ＤＭＲＳを連続したサブキャリアに配置する。
【０１６６】
上記までに説明したように、移動局装置は、繰り返しファクタ値によって示されるサブキャリアの間隔が１を示す、または、リソース割り当て情報によって示されるリソースブロックサイズが所定の第１のリソースブロックサイズを示す、または、指示情報によってＩＦＤＭを利用したＤＭＲＳの送信が無効と示されている場合には、ＤＭＲＳを連続したサブキャリアに配置して送信する。
【０１６７】
また、移動局装置は、繰り返しファクタ値によって示されるサブキャリアの間隔が１を示す、または、リソース割り当て情報によって示されるリソースブロックサイズが所定の第２のリソースブロックサイズよりも小さいリソースブロックサイズを示す、または、指示情報によってＩＦＤＭを利用したＤＭＲＳの送信が無効と示されている場合には、ＤＭＲＳを連続したサブキャリアに配置して送信する。
【０１６８】
上記までに説明したように、基地局装置が、ＩＦＤＭを利用したＤＭＲＳの送信を（上位層において）セットし、さらに、ＩＦＤＭを利用したＤＭＲＳの送信を（物理層において）有効または無効とすることによって、より柔軟でロバストなＤＭＲＳの送信が可能となる。例えば、基地局装置が、ＲＲＣシグナリングを使用してＩＦＤＭを利用したＤＭＲＳの送信をセットし、さらに、ＤＣＩフォーマットに含まれる情報を使用してＩＦＤＭを利用したＤＭＲＳの送信を有効または無効とすることによって、より柔軟でロバストなＤＭＲＳの送信が可能となる。
【０１６９】
例えば、基地局装置が、ＤＣＩフォーマットに含まれる情報を使用してＩＦＤＭを利用したＤＭＲＳの送信を有効または無効とすることによって、上位層において（再）設定が行われる期間において、基地局装置と移動局装置の通信を継続することが可能となる。例えば、基地局装置が、ＲＲＣシグナリングを使用してＩＦＤＭを利用したＤＭＲＳの送信をセットしている期間（すなわち、基地局装置と移動局装置の間で、ＩＦＤＭを利用したＤＭＲＳの送信がセットされたのか、セットされていないのかが曖昧な期間）において、ＤＣＩフォーマットに含まれる情報を使用してＩＦＤＭを使用したＤＭＲＳの送信を有効または無効とすることによって、基地局装置と移動局装置の間による設定の不一致を回避することが可能となる。
【０１７０】
図９および図１０は、本実施形態に係るＤＭＲＳの送信制御の例を示す別の図である。ここで、図９および図１０は、図８をより詳細に示したものであり、図８に対応している。図９および図１０は、移動局装置が、ＤＭＲＳをＰＵＳＣＨと多重し、多重されたＤＭＲＳとＰＵＳＣＨを送信する際の送信制御を示している。
【０１７１】
また、上記までに説明したように、図９および図１０において、“x（エックス）”は、繰り返しファクタを示している。また、“ＭRSSC”は、参照信号シーケンスの長さを示している。また、“ＮRBSC”は、サブキャリアの数として表される周波数領域におけるリソースブロックサイズを示しており、一例として、１２サブキャリアとして記載される。すなわち、１リソースブロックの周波数領域におけるサブキャリア数は、１２サブキャリアとして記載される。また、“ＭPUSCHSC”は、サブキャリアの数として表されるＰＵＳＣＨの送信（上りリンクの送信）に対してスケジュールされる帯域幅を示している。
【０１７２】
図９において、基地局装置は、ＩＦＤＭを利用したＤＭＲＳの送信をセットするとともに、繰り返しファクタ値として“x（エックス）”を設定する（ステップ９０１）。ここで、移動局装置は、ＩＦＤＭを利用したＤＭＲＳの送信がセットされていない場合には（ステップ９０１：ＮＯ）、ＩＦＤＭを利用したＤＭＲＳの送信を行わない（図１０：ステップ１００１へ）。
【０１７３】
すなわち、図１０に示すように、移動局装置は、“ＭRSSC≧３ＮRBSC”であるかどうかを確認する（ステップ１００１）。すなわち、移動局装置は、“ＭPUSCHSC”が、３６サブキャリア以上かどうかを確認する。すなわち、移動局装置は、リソース割り当て情報によって、３リソースブロック以上のＰＵＳＣＨリソースがスケジュールされたかどうかを確認する。
【０１７４】
ここで、移動局装置は、“ＭRSSC≧３ＮRBSC”でない場合には（ステップ１００１：ＮＯ）、“ＭRSSC＝ＮRBSC”または“ＭRSSC＝２ＮRBSC”に従って（ステップ１００２）、上記で説明した数式（７）を使用して、ベースシーケンスを生成する（ステップ１００３）。この際、上記で説明したように、“ＭRSSC＝ＭPUSCHSC”として定義される。また、上記で説明したように、基地局装置はリソースブロック単位でＰＵＳＣＨリソースを割り当てるために、“ＭRSSC”は、必ず“ＮRBSC”または“２ＮRBSC”となる。
【０１７５】
すなわち、移動局装置は、“ＭPUSCHSC”が１２サブキャリアの場合には、図６で示されるようなテーブルを使用して、ベースシーケンスを生成する。すなわち、移動局装置は、リソース割り当て情報によって、１リソースブロックのＰＵＳＣＨリソースがスケジュールされた場合には、図６で示されるようなテーブルを使用して、ベースシーケンスを生成する。
【０１７６】
また、移動局装置は、“ＭPUSCHSC”が２４サブキャリアの場合には、図７で示されるようなテーブルを使用して、ベースシーケンスを生成する。すなわち、移動局装置は、リソース割り当て情報によって、２リソースブロックのＰＵＳＣＨリソースがスケジュールされた場合には、図７で示されるようなテーブルを使用して、ベースシーケンスを生成する。
【０１７７】
さらに、移動局装置は、ベースシーケンスを用いてＤＭＲＳを生成し、生成したＤＭＲＳを連続したサブキャリアに配置する。また、移動局装置は、連続したサブキャリアに配置されたＤＭＲＳをＰＵＳＣＨと多重し、多重されたＤＭＲＳとＰＵＳＣＨを送信する。
【０１７８】
ここで、移動局装置は、“ＭRSSC≧３ＮRBSC”の場合には（ステップ１００１：ＹＥＳ）、上記で説明した数式（３）を使用して、ベースシーケンスを生成する（ステップ１００４）。この際、上記で説明したように、“ＭRSSC＝ＭPUSCHSC”として定義される。
【０１７９】
さらに、移動局装置は、ベースシーケンスを用いてＤＭＲＳを生成し、生成したＤＭＲＳを連続したサブキャリアに配置する。また、移動局装置は、連続したサブキャリアに配置されたＤＭＲＳをＰＵＳＣＨと多重し、多重されたＤＭＲＳとＰＵＳＣＨを送信する。
【０１８０】
図９に戻り、移動局装置は、ＩＦＤＭを利用したＤＭＲＳの送信がセットされている場合には（ステップ９０１：ＹＥＳ）、ＩＦＤＭを利用したＤＭＲＳの送信が有効であるか無効であるかの条件を確認する（ステップ９０２）。
【０１８１】
すなわち、移動局装置は、繰り返しファクタ“ｘ”に基づいて決定される参照信号シーケンスの長さ（以下、ＤＭＲＳが配置されるサブキャリアの数とも記載する）が、“３ＮRBSC”以上かどうかを確認する。すなわち、移動局装置は、“ＭPUSCHSC”を“ｘ”で除算した結果が、３６サブキャリア以上かどうかを確認する。すなわち、移動局装置は、リソース割り当て情報によって、（３リソースブロック×“ｘ”）以上のＰＵＳＣＨリソースがスケジュールされたかどうかを確認する。
【０１８２】
ここで、移動局装置は、ＤＭＲＳが配置されるサブキャリアの数が“３ＮRBSC”以上の場合には（ステップ９０２：ＹＥＳ）、ＩＦＤＭを利用したＤＭＲＳの送信を有効とし、上記で説明した数式（３）を使用して、ベースシーケンスを生成する（ステップ９０３）。この際、例えば、“ＭRSSC”は、繰り返しファクタ値“ｘ”に基づいて決定される参照信号シーケンスの長さ（ＤＭＲＳが配置されるサブキャリアの数でも良い）として定義される。例えば、“ＭRSSC”は、“ＭPUSCHSC”を“ｘ”で除算した結果として定義される。
【０１８３】
さらに、移動局装置は、ベースシーケンスを用いてＤＭＲＳを生成し、生成したＤＭＲＳを一定の間隔で（繰り返しファクタ値“ｘ”に従った間隔で）サブキャリアに配置する。また、移動局装置は、一定の間隔でサブキャリアに配置されたＤＭＲＳをＰＵＳＣＨと多重し、多重されたＤＭＲＳとＰＵＳＣＨを送信する。
【０１８４】
また、移動局装置は、ＤＭＲＳが配置されるサブキャリアの数が“３ＮRBSC”よりも小さい場合には（ステップ９０２：ＮＯ）、ＤＭＲＳが配置されるサブキャリアの数が、“ＮRBSC”または“２ＮRBSC”であるかどうかを確認する（ステップ９０４）。
【０１８５】
すなわち、移動局装置は、ＤＭＲＳが配置されるサブキャリア数が、１２サブキャリアまたは２４サブキャリアかどうかを確認する。すなわち、移動局装置は、リソース割り当て情報によって、（１リソースブロック×“ｘ”）または（２リソースブロック×“ｘ”）のＰＵＳＣＨリソースがスケジュールされたどうかを確認する。
【０１８６】
ここで、移動局装置は、ＤＭＲＳが配置されるサブキャリアの数が“ＮRBSC”または“２ＮRBSC”の場合には（ステップ９０４：ＹＥＳ）、ＩＦＤＭを利用したＤＭＲＳの送信を有効とし、上記で説明した数式（７）を使用して、ベースシーケンスを生成する（ステップ９０３）。この際、例えば、“ＭRSSC”は、繰り返しファクタ値“ｘ”に基づいて決定される参照信号シーケンスの長さ（ＤＭＲＳが配置されるサブキャリアの数でも良い）として定義される。例えば、“ＭRSSC”は、“ＭPUSCHSC”を“ｘ”で除算した結果として定義される。
【０１８７】
すなわち、移動局装置は、ＤＭＲＳが配置されるサブキャリアの数が１２サブキャリアの場合には、図６で示されるようなテーブルを使用して、ベースシーケンスを生成する。すなわち、移動局装置は、リソース割り当て情報によって、（１リソースブロック×“ｘ”）のＰＵＳＣＨリソースがスケジュールされた場合には、図６で示されるようなテーブルを使用して、ベースシーケンスを生成する。
【０１８８】
また、移動局装置は、ＤＭＲＳが配置されるサブキャリアの数が２４サブキャリアの場合には、図７で示されるようなテーブルを使用して、ベースシーケンスを生成する。すなわち、移動局装置は、リソース割り当て情報によって、（２リソースブロック×“ｘ”）のＰＵＳＣＨリソースがスケジュールされた場合には、図７で示されるようなテーブルを使用して、ベースシーケンスを生成する。
【０１８９】
さらに、移動局装置は、ベースシーケンスを用いてＤＭＲＳを生成し、生成したＤＭＲＳを一定の間隔で（繰り返しファクタ値“ｘ”に従った間隔で）サブキャリアに配置する。さらに、移動局装置は、一定の間隔でサブキャリアに配置されたＤＭＲＳをＰＵＳＣＨと多重し、多重されたＤＭＲＳとＰＵＳＣＨを送信する。
【０１９０】
また、移動局装置は、ＤＭＲＳが配置されるサブキャリアの数が“ＮRBSC”または“２ＮRBSC”でない場合には（ステップ９０４：ＮＯ）、ＩＦＤＭを利用したＤＭＲＳの送信を行わない（ステップ９０６）。すなわち、基地局装置はリソースブロック単位でＰＵＳＣＨリソースを割り当てるが、繰り返しファクタ値“ｘ”に従って、ＤＭＲＳが配置されるサブキャリアの数が変更するために、“ＭRSSC”は、“ＮRBSC”または“２ＮRBSC”になるとは限らない。すなわち、ＤＭＲＳが配置されるサブキャリアの数は、ＰＵＳＣＨの送信に対してスケジュールされるリソースブロックサイズ（すなわち、帯域幅“ＭPUSCHSC”）と繰り返しファクタ値“ｘ”に基づいて決定される。この際、移動局装置は、ＩＦＤＭを利用したＤＭＲＳの送信がセットされていない場合と同様の制御を行う（すなわち、図１０：ステップ１００１へ）。
【０１９１】
上記までに説明したように、移動局装置が、ＩＦＤＭを利用してＤＭＲＳを送信する際に、ＤＭＲＳの生成に利用されるベースシーケンスを、参照信号シーケンスの長さに依存して決定させることによって、より直交性の高いベースシーケンスを利用してＤＭＲＳを生成することが可能となる。
【０１９２】
すなわち、移動局装置が、ＤＭＲＳをＰＵＳＣＨと多重して送信する際に、ＰＵＳＣＨの送信に対してスケジュールされるリソースブロックサイズ（帯域幅）に応じて、異なるベースシーケンスを利用することができ、より直交性の高いベースシーケンスを利用してＤＭＲＳを生成することが可能となる。
【０１９３】
また、基地局装置によって小さいサイズのリソースブロック（例えば、１リソースブロックや２リソースブロック）がスケジュールされた場合であっても、予め定義されたテーブルに従ってベースシーケンスを生成することによって、より直交性の高いベースシーケンスを利用してＤＭＲＳを送信することが可能となる。
【０１９４】
すなわち、移動局装置が、より直交性の高いベースシーケンスを利用してＤＭＲＳを送信することができ、ＤＭＲＳと多重されて送信される情報（例えば、ＰＵＳＣＨ）の品質を劣化させずに復調することが可能となる。
【０１９５】
さらに、ＩＦＤＭを利用しないＤＭＲＳの送信に対するベースシーケンスと、ＩＦＤＭを利用したＤＭＲＳの送信に対するベースシーケンスを、同一の方法で生成することによって、ＩＦＤＭを利用しないＤＭＲＳの送信とＩＦＤＭを利用したＤＭＲＳの送信を、より容易に混在させることが可能となる。
【０１９６】
以上説明した実施形態は、基地局装置および移動局装置に搭載される集積回路にも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１９７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１９８】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１９９】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2013021416.tif 000010
【図２】
2013021416.tif 000011
【図３】
2013021416.tif 000012
【図４】
2013021416.tif 000013
【図５】
2013021416.tif 000014
【図６】
2013021416.tif 000015
【図７】
2013021416.tif 000016
【図８】
2013021416.tif 000017
【図９】
2013021416.tif 000018
【図１０】
2013021416.tif 000019